【事件の表示】
　特願２０１１−５１４７４４「フェムトアクセスポイントを介して緊急呼出しを位置特定すること」拒絶査定不服審判事件〔平成２１年１２月２３日国際公開、ＷＯ２００９／１５５２７８、平成２３年　９月１５日国内公表、特表２０１１−５２５３３１〕について、次のとおり審決する。
【結　論】
　本件審判の請求は、成り立たない。
【理　由】
第１　手続の経緯
　本願は２００９年（平成２１年）６月１６日（パリ条約による優先権主張　２００８年６月１６日　米国、２００８年８月２２日　米国、２００９年６月１２日　米国）を国際出願日とする出願であって、平成２４年１２月３日付けで拒絶査定がなされ、これに対して平成２５年４月１１日に拒絶査定不服審判が請求されるとともに、同時に手続補正がなされ、平成２６年４月２５日付けで当審により拒絶理由が通知され、同年８月７日付けで手続補正がなされ、同年８月２８日付けで当審により拒絶理由（最後）が通知され、同年１０月２３日で手続補正がなされたものである。
　
　
第２　平成２６年１０月２３日付け手続補正について
１．補正の内容
　平成２６年１０月２３日付け手続補正の内容は、平成２６年８月７日付け手続補正により補正された特許請求の範囲の請求項１の記載
「【請求項１】
　無線通信ネットワークにおける緊急呼出しをサポートする方法であって、
　移動局によるＦＡＰ（フェムトアクセスポイント）への緊急呼び出しの発信時に、前記緊急呼出しを発信するように前記移動局によって前記ＦＡＰに送信された第１のメッセージを受信すること、および
　前記緊急呼出しに関する緊急センタを選択するのに使用されるように前記ＦＡＰに関する位置情報をネットワークエンティティに送信し、前記ネットワークエンティティから、前記緊急センタまたはＰＳＰＡ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送すること
であって、前記応答メッセージは前記移動局の位置情報を備える、転送すること、
を備える方法。」（以下、「本願補正前発明」という。）を、
「【請求項１】
　無線通信ネットワークにおける緊急呼出しをサポートする方法であって、
　移動局によるＦＡＰ（フェムトアクセスポイント）への緊急呼び出しの発信時に、前記緊急呼出しを発信するように前記移動局によって前記ＦＡＰに送信された第１のメッセージを受信すること、および
　前記緊急呼出しに関する緊急センタを選択するのに使用されるように前記ＦＡＰに関する位置情報をネットワークエンティティに送信し、前記ネットワークエンティティから、前記緊急センタまたはＰＳＡＰ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送すること
であって、前記移動局に関する位置推定を示す情報はネットワークエンティティから緊急センタまたはＰＳＡＰ（公共安全応答ポイント）に送信される、
を備える方法。」 （以下、「本願補正後発明」という。）
に補正すること（以下、「本件補正」という。）を含むものである（なお、下線は請求人が付与した。）。
　
　すなわち、本件補正は、本願補正前発明の「前記応答メッセージは前記移動局の位置情報を備える」なる事項（以下、「本件補正前事項」という。）を、「前記移動局に関する位置推定を示す情報はネットワークエンティティから緊急センタまたはＰＳＡＰ（公共安全応答ポイント）に送信される」なる事項（以下、「本件補正後事項」という。）に補正することを含む補正である。
　
２．補正の適否
　本件補正が、特許法第１７条の２第５項第４号（明りょうでない記載の釈明）で規定された目的に該当するかどうか検討する。
　
２−１．本件補正前事項が「明りょうでない記載」に該当するか否か
　本件補正前事項である「前記応答メッセージは前記移動局の位置情報を備える」なる事項に関して、該事項の「前記応答メッセージ」は、本願補正前発明の「前記ネットワークエンティティから、前記緊急センタまたはＰＳＰＡ（公共安全応答ポイント）を識別するＥＳＲＤ（緊急サービスルーティング番号）またはＥＳＲＫ（緊急サービスルーティングキー）を含む応答メッセージを受信し」なる発明特定事項の「応答メッセージ」を指すものと解するのが妥当であって、以下の事項がいえる。
（１）　「前記応答メッセージ」は、「前記緊急センタまたはＰＳＰＡ（公共安全応答ポイント）を識別するＥＳＲＤ（緊急サービスルーティング番号）またはＥＳＲＫ（緊急サービスルーティングキー）を含む」メッセージであること。
（２）　「前記応答メッセージ」が「前記ネットワークエンティティ」から受信するメッセージであること、及び、「前記緊急呼出しに関する緊急センタを選択するのに使用されるように前記ＦＡＰに関する位置情報をネットワークエンティティに送信し、前記ネットワークエンティティから、前記緊急センタまたはＰＳＰＡ（公共安全応答ポイント）を識別するＥＳＲＤ（緊急サービスルーティング番号）またはＥＳＲＫ（緊急サービスルーティングキー）を含む応答メッセージを受信」することからみて、該「ネットワークエンティティ」は、本願明細書に記載されている「移動体測位センター（ＭＰＣ）１４０」であると解するのが妥当であり、「前記応答メッセージ」は、「移動体測位センター（ＭＰＣ）１４０」から受信するメッセージであるといい得ること。
（３）　本願補正前発明の「第１のメッセージを受信する」、「前記ＦＡＰに関する位置情報をネットワークエンティティに送信」、及び「前記緊急呼出しを転送する」なる動作の動作主体は、本願明細書に記載されている「ＭＦＩＦ（ＭＡＰ（モバイルアプリケーションパート（Mobile Application Part））フェムト相互動作機能）１３０」であると解するのが妥当であり、「前記応答メッセージ」は、「ＭＦＩＦ（ＭＡＰ（モバイルアプリケーションパート（Mobile Application Part））フェムト相互動作機能）１３０」が受信するメッセージであるといい得ること。
（４）　上記（１）〜（３）を総合すると、「前記移動局に位置情報」を備える「前記応答メッセージ」は、「前記緊急センタまたはＰＳＰＡ（公共安全応答ポイント）を識別するＥＳＲＤ（緊急サービスルーティング番号）またはＥＳＲＫ（緊急サービスルーティングキー）を含む」メッセージであるとともに、「移動体測位センター（ＭＰＣ）１４０」から「ＭＦＩＦ（ＭＡＰ（モバイルアプリケーションパート（Mobile Application Part））フェムト相互動作機能）１３０」へ送信されるメッセージである。
　
　これに対して、「緊急センタまたはＰＳＰＡ（公共安全応答ポイント）を識別するＥＳＲＤ（緊急サービスルーティング番号）またはＥＳＲＫ（緊急サービスルーティングキー）を含む応答メッセージ」及び「前記移動局の位置情報」について、本願の願書に最初に添付した明細書、特許請求の範囲又は図面には、
（ア）　「【００２３】
  図２は、マクロセルＩＤおよびマクロＭＳＣ  ＩＤを使用してＦＡＰから緊急呼出しをルーティングするための呼フロー２００の設計を示す。最初に、移動局１１０が、ＦＡＰ１２０に対して緊急（例えば、Ｅ９１１）呼出しを発信することが可能であり、さらにＭＳＩＤ（移動局識別情報）を提供することが可能である（ステップａ）。ＭＳＩＤは、ＥＳＮ（電子通し番号）、ＩＭＳＩ（国際移動体加入者識別情報（International Mobile Subscriber Identity））、ＭＥＩＤ（移動機器識別情報（Mobile Equipment Identity））、ＭＩＮ（移動体識別番号）、および／または他の何らかの識別情報を備えることが可能である。ＦＡＰ１２０が、この緊急呼出しを受信することが可能であり、さらにＭＦＩＦ１３０に緊急呼出し（例えば、Ｅ９１１）要求を（例えば、ＳＩＰ  ＩＮＶＩＴＥの中で）送信することが可能である（ステップｂ）。Ｅ９１１呼要求は、移動局１１０のＭＳＩＤ、ＦＡＰ１２０に割り当てられたマクロＭＳＣ  ＩＤおよびマクロセルＩＤなどを含むことが可能である。ＭＦＩＦ１３０が、ＦＡＰ１２０からＥ９１１呼要求を受信することが可能であり、これに応答して、ＡＮＳＩ−４１  ＯＲＲＥＱ（発信要求）メッセージをＭＰＣ１４０に送信することが可能である（ステップｃ）。このＯＲＲＥＱメッセージは、ステップｂで受信されたＭＳＩＤ、マクロＭＳＣ  ＩＤ、およびマクロセルＩＤを含むことが可能である。
【００２４】
  ＭＰＣ１４０が、このＯＲＲＥＱメッセージを受信することが可能であり、さらにＣＲＤＢ１４２の中でマクロＭＳＣ  ＩＤとマクロセルＩＤの組合せをルックアップすることが可能であり、さらにＰＳＡＰ（例えば、ＰＳＡＰ１７０）、およびＰＳＡＰに関連付けられたＥＳＲＫまたはＥＳＲＤを見つけることが可能である。ＰＳＡＰ１７０は、マクロＭＳＣ  ＩＤおよびマクロセルＩＤは、フェムト位置に基づいてＦＡＰ１２０に最初に割り当てられているため、ＦＡＰ１２０の位置に（したがって、移動局１１０の位置にも）適切であり得る。次に、ＭＰＣ１４０が、そのＥＳＲＫまたはＥＳＲＤを含むことが可能なｏｒｒｅｑ（発信応答）メッセージをＭＦＩＦ１３０に戻すことが可能である（ステップｄ）。次に、ＭＦＩＦ１３０が、そのＥＳＲＤまたはＥＳＲＫに基づいてＰＳＡＰ１７０に緊急呼出しを転送することが可能であり、さらに移動局１１０のＭＤＮ（移動体ディレクトリ番号）を含めることが可能である（ステップｅ）。転送することは、選択的ルータ１６０を介して、ＭＧＷ／ＭＧＣＦ１５８と選択的ルータ１６０を介して、ＣＳＣＦ１２８とＭＧＷ／ＭＧＣＦ１５８と選択的ルータ１６０を介して、または他のネットワークエンティティを介して行われることが可能である。」
（イ）　「【００４０】
  次に、ＭＦＩＦ１３０が、移動局１１０のＭＳＩＤおよび測位能力（ＭＰＣＡＰ）、ＦＡＰ１２０のサービングセルＩＤ，ＭＦＩＦ１３０のＭＳＣ  ＩＤなどを含むことが可能なＯＲＲＥＱメッセージをＭＰＣ１４０に送信することが可能である（ステップｃ）。ＭＰＣ１４０は、例えば、ＭＦＩＦ  ＭＳＣ  ＩＤを認識することによって、またはＣＲＤＢ１４２の中でサービングセルＩＤを調べることによって、その呼がＦＡＰからであると判定することが可能である。次に、ＭＰＣ１４０は、ＭＳＩＤ、ＭＰＣＡＰ、ＭＦＩＦ  ＭＳＣ  ＩＤ、サービングセルＩＤ、ならびに初期地点が要求されたという指示を含むことが可能なＧＰＯＳＲＥＱメッセージをＰＤＥ１５０に送信することが可能である（ステップｄ）。
【００４１】
  ＰＤＥ１５０は、例えば、ＭＦＩＦ  ＭＳＣ  ＩＤを認識することによって、またはＢＳＡ１５２の中でサービングセルＩＤを調べることによって、その呼がＦＡＰからであると判定することが可能である。サービングセルＩＤがＢＳＡ１５２の中で見つかり、関連する位置が信頼できると考えられる（例えば、以前のフェムト位置要求のために最近、ＢＳＡ１５２の中で更新されている）場合、ＰＤＥ１５０は、ステップｉに進むことが可能である。サービングセルＩＤがＢＳＡ１５２の中で見つからない、または関連する位置が信頼できると考えられない場合、ＰＤＥ１５０は、ＩＳ−８０１  ＰＤＤＭ（位置算出データメッセージ）、ＭＳＩＤ、およびサービングセルＩＤを含むことが可能なＳＭＤＰＰ（ＳＭＳ配信ポイントツーポイント）メッセージをＭＦＩＦ１３０に送信することが可能である（ステップｅ）。ＩＳ−８０１  ＰＤＤＭは、既に知られているフェムト位置を要求することが可能である。また、ＰＤＥ１５０は、新たなＡＮＳＩ−４１値を使用してサービス標識パラメータの中で「Ｂａｓｅ  Ｓｔａｔｉｏｎ  Ｌｏｃａｔｉｏｎ」を示して
、ＩＳ−８０１  ＰＤＤＭがＦＡＰ１２０に向けられており、移動局１１０には向けられていないことをＭＦＩＦ１３０に知らせることも可能である。
【００４２】
  ＭＦＩＦ１３０が、サービス標識のＡＮＳＩ−４１「Ｂａｓｅ  Ｓｔａｔｉｏｎ  Ｌｏｃａｔｉｏｎ」値を認識することが可能である。これに応答して、ＭＦＩＦ１３０は、ＰＤＥ１５０から受信されたＳＭＤＰＰメッセージの内容を含むことが可能な位置特定要求メッセージをＦＡＰ１２０に送信することが可能である（ステップｆ）。ＭＦＩＦ１３０は、ＳＭＤＰＰメッセージの中で受信されたサービングセルＩＤまたはＭＳＩＤからＦＡＰ１２０を特定することが可能である。次に、ＦＡＰ１２０が、ＭＳＩＤ、サービングセルＩＤ、およびＩＳ−８０１  ＰＤＤＭ応答を含むことが可能な位置特定応答をＭＦＩＦ１３０に戻すことが可能である（ステップｇ）。ＦＡＰ１２０が、最低限の応答を除いてＩＳ−８０１をサポートしない場合、ＦＡＰ１２０は、知られているフェムト位置を含むことが可能な標準の（固定フォーマットの）ＩＳ−８０１非請求（unsolicited）ＰＤＤＭ応答を戻すことが可能である。ＦＡＰ１２０がＩＳ−８０１をサポートする場合、ＦＡＰ１２０は、ＦＡＰ１２０の知られている位置または均等の情報、例えば、ＰＤＥ１５０がフェムト位置を算出する元にすることができる測定を含むことが可能な、より正しいＩＳ−８０１応答を戻すことが可能である。このフェムト位置は、ＦＡＰ１２０の位置の正確な座標と、これらの座標の不確かさとを備えることが可能である。この不確かさは、ＦＡＰ１２０のカバレッジエリアを含むように変更される（例えば、ＦＡＰ１２０によって）ことが可能であり、このため、移動局１１０の可能な位置を示すことが可能である。ステップｆおよびｇは、ＭＦＩＦ１３０がフェムト位置を既に有する場合、飛ばされることが可能である。
【００４３】
  ＭＦＩＦ１３０が、ＦＡＰ１２０からの応答を含むことが可能なＳＭＤＰＰメッセージをＰＤＥ１５０に送信することが可能である（ステップｈ）。ＰＤＥ１５０は、ステップｈでフェムト位置が供給されなかったが、ＦＡＰ１２０がＩＳ−８０１をサポートする場合、ステップｅからｈに類似したさらなるステップを開始させることが可能である。例えば、ＰＤＥ１５０が、ＩＳ−８０１を使用してフェムト位置を取得するようにＡＦＬＴを呼び出すことが可能である。次に、ＰＤＥ１５０は、ＭＰＣ１４０にそのフェムト位置を戻すことが可能である（ステップｉ）。ＭＰＣ１４０が、後の位置特定要求において使用するために、そのフェムト位置でＢＳＡ１５２を更新することが可能である。ＭＰＣ１４０が、ＣＲＤＢ１４２にアクセスして、ＰＤＥ１５０から受信されたフェムト位置に関する正しいＰＳＡＰ（例えば、ＰＳＡＰ１７０）を特定することが可能である。ＭＰＣ１４０が、ＥＳＲＫを割り当てること、または選択されたＰＳＡＰ１７０に関するＥＳＲＤを特定することが可能である。次に、ＭＰＣ１４０は、このＥＳＲＫまたはＥＳＲＤをＭＦＩＦ１３０に送信することが可能である（ステップｊ）。ＭＦＩＦ１３０が、ＥＳＲＤまたはＥＳＲＫに基づいてＰＳＡＰ１７０に呼をルーティングすることが可能である（ステップｋ）。ＰＳＡＰ１７０が、ＥＳＲＫまたはＥＳＲＤからＭＰＣ１４０を特定することが可能であり、さらにこのＥＳＲＫまたはＥＳＲＤおよびＭＤＮを含むことが可能なＥＳＰＯＳＲＥＱメッセージをＭＰＣ１４０に送信することが可能である（ステップｌ）。ＭＰＣ１４０が、ステップｉで受信されたフェムト位置が、初期移動局位置として十分に正確であると判定することが可能であり、さらにＰＳＡＰ１７０にそのフェムト位置を戻すことが可能である（ステップｍ）。」
（ウ）　第２〜６図の図中の「ｏｒｒｅｑ（ＥＳＲＫまたはＥＳＲＤ、その他）」及び「ｅｓｐｏｓｒｅｑ（ＭＳ／フェムト位置、その他）」
なる事項が記載されている。
　そして、上記（ア）〜（ウ）の記載を参酌すると、本願の願書に最初に添付した明細書、特許請求の範囲又は図面には、
「ＭＦＩＦ（ＭＡＰ（モバイルアプリケーションパート（Mobile Application Part））フェムト相互動作機能）１３０」が「移動体測位センター（ＭＰＣ）１４０」から受信する応答メッセージ（ｏｒｒｅｑ）が含む情報は、「前記緊急センタまたはＰＳＰＡ（公共安全応答ポイント）を識別するＥＳＲＤ（緊急サービスルーティング番号）またはＥＳＲＫ（緊急サービスルーティングキー）、並びに、「その他」であること、
「ステップｇで獲得された移動局１１０の位置、またはＦＡＰ１２０の位置」を含むメッセージは、「移動体測位センター（ＭＰＣ）１４０」から「公共安全応答ポイント（ＰＳＡＰ）」へ送信される応答メッセージ（ｅｓｐｏｓｒｅｑ）であること
は記載されているといえる。
　
　してみると、本願の願書に最初に添付した明細書、特許請求の範囲又は図面には、「前記緊急センタまたはＰＳＰＡ（公共安全応答ポイント）を識別するＥＳＲＤ（緊急サービスルーティング番号）またはＥＳＲＫ（緊急サービスルーティングキー）を含む」メッセージが「前記移動局に位置情報」を備えることは記載されていないとともに、「前記移動局に位置情報」を備える応答メッセージは、「移動体測位センター（ＭＰＣ）１４０」から「ＭＦＩＦ（ＭＡＰ（モバイルアプリケーションパート（Mobile Application Part））フェムト相互動作機能）１３０」へ送信されるメッセージではなく、「移動体測位センター（ＭＰＣ）１４０」から「公共安全応答ポイント（ＰＳＡＰ）」へ送信される応答メッセージ（ｅｓｐｏｓｒｅｑ）である。
　
　このため、本願補正前発明の「前記応答メッセージは前記移動局の位置情報を備える」なる事項は、本願の願書に最初に添付した明細書、特許請求の範囲又は図面の記載との関係において不合理を生じる記載、すなわち、明りょうでない記載であるといえる。
　
２−２．本件補正後事項が「釈明」に該当するか否か
　本件補正後事項の「前記移動局に関する位置推定を示す情報はネットワークエンティティから緊急センタまたはＰＳＡＰ（公共安全応答ポイント）に送信される」なる事項に関して、「ネットワークエンティティ」は、上記「２−１．「前記応答メッセージは前記移動局の位置情報を備える」なる事項について」で記載した理由により、「前記移動局に関する位置推定を示す情報」は、「移動体測位センター（ＭＰＣ）１４０」から「緊急センタまたはＰＳＰＡ（公共安全応答ポイント）」へ送信される情報であるといえる。
　
　これに対して、本願の願書に最初に添付した明細書、特許請求の範囲又は図面には、「前記移動局に関する位置推定を示す情報」について、上記「２−１．本件補正前事項が「明りょうでない記載」に該当するか否か」で記載したように、「ステップｇで獲得された移動局１１０の位置、またはＦＡＰ１２０の位置」が、「移動体測位センター（ＭＰＣ）１４０」から「公共安全応答ポイント（ＰＳＡＰ）」へ送信される応答メッセージ（ｅｓｐｏｓｒｅｑ）に含まれて送信されることが記載されている。
　
　してみると、本願補正後発明の「前記移動局に関する位置推定を示す情報はネットワークエンティティから緊急センタまたはＰＳＡＰ（公共安全応答ポイント）に送信される」なる事項は、本願の願書に最初に添付した明細書、特許請求の範囲又は図面の記載に基づいていることから、不明りょうさが正されて、「その記載の本来の意味内容」が明らかになっている、すなわち、「釈明」されているといえる。
　
２−３．拒絶理由通知に係る拒絶の理由に示す事項との関係
　平成２６年８月２８日付け最後の拒絶理由通知は、本件補正前事項、すなわち、「前記応答メッセージは前記移動局の位置情報を備える、転送すること」 を追加することを含む、平成２６年８月７日付けでした手続補正は、外国語書面の翻訳文（又は誤訳訂正書による補正後の明細書若しくは図面）に記載した事項の範囲内においてしたものでないから、特許法第１７条の２第３項に規定する要件を満たしていない旨を記載した通知である。
　そして、本件補正前事項の記載が不明りょうな記載であり、「その記載の本来の意味内容」が明らかになっていないために、該本件補正前事項を追加する補正が、新規事項を追加する補正となったといい得る。
　このため、本件補正は、最後の拒絶理由通知で指摘された特定箇所の拒絶理由を解消するために行われた補正であるといえる。
　
２−４．小括
　してみると、本件補正は、明りょうでない記載の釈明を目的とした補正であるといえる。
　このため、特許法第１７の２条第５項第１〜３号の規定について検討するまでもなく、本件補正は、特許法第１７条の２第５項の規定を満たしている。
　
　
第３　当審の拒絶理由通知
　当審が平成２６年４月２５日付けで通知した拒絶理由の概要は、この出願に係る発明は、本願出願の優先基準日前に国際公開された国際公開第２００８／０５１１２４号（以下、「引用文献１」という。）に記載された発明、及び、本願出願の優先基準日前国際公開された国際公開第２００７／０３５７３６号（以下、「引用文献２」という。）に記載された発明に基いて、その出願前にその発明の属する技術の分野における通常の知識を有する者が容易に発明をすることができたものであるから、特許法第２９条第２項の規定により特許を受けることができない、というものである。
　また、当審が平成２６年８月２８日付けで通知した最後の拒絶理由の概要は、平成２６年８月７日付けでした手続補正は、「前記応答メッセージは前記移動局の位置情報を備える、転送すること」を追加する点で外国語書面の翻訳文（又は誤訳訂正書による補正後の明細書若しくは図面）に記載した事項の範囲内においてしたものでないから、特許法第１７条の２第３項に規定する要件を満たしていない、というものである。
　
　なお、当審が平成２６年８月２８日付けで通知した最後の拒絶理由については、平成２６年１０月２３日付け手続補正によりなされた、明りょうでない記載の釈明を目的とした補正により、解消された。
　
　
第４　本願発明について
１．本願補正後発明
　本願の請求項１〜５１に係る発明は、平成２６年１０月２３日付け手続補正により補正された特許請求の範囲の請求項１〜５１に記載された事項により特定されたものであるところ、請求項１に係る発明は、上記「第２　平成２６年１０月２３日付け手続補正について」において記載した本願補正後発明であって、以下に再掲する。
「【請求項１】
　無線通信ネットワークにおける緊急呼出しをサポートする方法であって、
　移動局によるＦＡＰ（フェムトアクセスポイント）への緊急呼び出しの発信時に、前記緊急呼出しを発信するように前記移動局によって前記ＦＡＰに送信された第１のメッセージを受信すること、および
　前記緊急呼出しに関する緊急センタを選択するのに使用されるように前記ＦＡＰに関する位置情報をネットワークエンティティに送信し、前記ネットワークエンティティから、前記緊急センタまたはＰＳＡＰ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送すること
であって、前記移動局に関する位置推定を示す情報はネットワークエンティティから緊急センタまたはＰＳＡＰ（公共安全応答ポイント）に送信される、
を備える方法。」 （なお、下線は請求人が付与した。）
　
２．引用発明
２−１．引用文献１には、図面とともに、次の事項が記載されている（下線は当審が付与した。）。
　なお、当審訳は、引用文献１に対応する特表２０１０−５０７９６３号公報(平成２２年３月１１日国内公表)を参考にしている。
　
ア．「
A method according to claim 1, wherein the Access Point (20) is a Femto Radio Base station (6), Femto RBS, serving a Femto cell (8).
（当審訳：【請求項２】参照
　
前記アクセスポイント(20)が、フェムトセル(8)にサービスを提供するフェムト無線基地局(6)であることを特徴とする請求項１記載の方法。
　
イ．「The present invention relates to a wireless communications network, and more particularly, to a method and apparatus for estimating a position of an Access Point in a wireless communications network.」（第１頁第４行目〜第７行目）
 （当審訳：【０００１】参考
　
本発明は無線通信ネットワークに関し、特には無線通信ネットワーク内のアクセスポイントの位置を推定するための方法及び装置に関する。
　
ウ．「Thus, the inventors realizing that there will be problems with maintaining an accurate position of an Access Point when there are a large number of Access Points, as in the new proposed H3G system, therefore they suggest the solution according to the present invention to avoid or at least alleviate such problems. 
An embodiment of the present invention is to make it possible to automatically estimate a position of an Access Point and maintain accurate position data. The position information is for example used in case of an emergency call.
 （当審訳：【００２２】参考
  このように、発明者は、新たに提案されるH3Gシステムのように多数のアクセスポイントが存在する場合に、アクセスポイントの正確な位置を維持することに問題が生じるであろうことに気付いた。そして、そのような問題を回避するか、少なくとも緩和するため、本発明に係る手法を提案する。
本発明の実施形態は、自動的にアクセスポイントの位置を推定し、正確な位置データを維持することを可能にする。位置情報は例えば緊急通話の際に用いられる。
　
エ．「1. A Femto RBS is initially powered up. This is the case when a Femto RBS for the first time is taken into use or the time after the Femto RBS has been moved to another location. Of course a Femto RBS can be powered off and on in the same location as previously. When powered up, the Femto RBS performs defined power up activities for this node type, which are predefined and set by a node provider. As part of the power up, the Femto RBS either dynamically builds an address identifier for a controlling Network Central Node, or the Femto RBS is already preconfigured with address information concerning a Central Node .
2. 
As part of the Femto RBS power-up sequence, a WCDMA user module, WCDMA UE, in the Femto RBS scans the surrounding WCDMA environment macro coverage to find out which macro WCDMA base stations or more correctly which WCDMA macro cells that exists in a current location.
In addition or in combination the Femto RBS performs a signal strength measurement for all found cells in a similar way as a UE measures neighbouring cells in a macro WCDMA case. Also, information about transmit power used is retrieved.
Note also that in some scenarios some Femto Cells may be found during this step if the Femto RBS is not able to distinguish these cells from the macro cells.
3. All cells found in step 2 and all related information is added to a list called Femto RBS Detected Neighbour list (Femto RBS_DNL) . 
4. When the Femto RBS_DNL is built in the Femto RBS, the Femto RBS establishes a connection to a Femto RNC. 
5. The Femto RBS_DNL is reported to the Femto RNC. If the Femto RBS_DNL contains information relating to identified Femto cells, then the Femto RNC is capable of removing these cells from the list.
6. The Femto RNC uses the received information (i.e. the Femto RBS_DNL) to determine an approximate position for the Femto RBS. Additionally, the Femto RNC uses configured geographical information for heard macro cells when determining the position of a Femto RBS.
In case the Femto RBSs and the Macro RBSs are controlled by the same RNC, the PLMN-ID, RAC, LAC and CI reported for a macro cell is to be used to find out which Macro RBS is controlling a macro cell and to find out a possibly configured geographical position for that Macro RBS.
7. 
The position of the Femto RBS is stored/updated in a database (RNC internal or external) .
 （当審訳：【００２４】〜【００３３】参考
１．フェムトRBSが最初に起動される。これは、フェムトRBSが始めて用いられる場合、又はフェムトRBSが別の場所に移された後の場合である。もちろん、同じ場所でフェムトRBSの電源の切断と投入がなされてもよい。起動時、フェムトRBSは、このノードタイプについて定められた起動時動作を実行する。ノードタイプは、ノードプロバイダによって予め規定され、設定される。起動の一部として、フェムトRBSはネットワークセントラルノードを制御するためのアドレス識別子を動的に構築するか、フェムトRBSはセントラルノードに関するアドレス情報を事前設定されている。
２．
フェムトRBS起動シーケンスの一部として、フェムトRBS内のWCDMAユーザモジュール、WCDMA UEは、周囲のWCDMA環境マクロカバレッジをスキャンし、どのマクロWCDMA基地局があるか、より正確にはどのWCDMAマクロセルが現在位置に存在しているかを調べる。
  フェムトRBSはさらに、あるいは組み合わせて、見つかった全てのセルについて、マクロCDMAの場合にUEが隣接セルの測定を行うのと同じような方法で信号強度測定を実行する。また、使用された送信電力についての情報も読み出される。
  いくつかのシナリオにおいて、フェムトRBSがマクロセルとフェムトセルとを識別できなければ、いくつかのフェムトセルがこのステップで見出されるであろう。
３．ステップ２で見つかった全てのセル及び、全ての関連情報が、フェムトRBS検出隣接リスト(Femto RBS_DNL)と呼ばれるリストに追加される。
４．Femto RBS_DNLがフェムトRBSで構築される際、フェムトRBSはフェムトRNCとのコネクションを確立する。
５．Femto RBS_DNLは、フェムトRNCに報告される。Femto RBS_DNLが特定済みのフェムトセルに関する情報を含んでいる場合、フェムトRNCはそれらのセルをリストから削除することができる。
６．フェムトRNCは受信した情報（すなわちFemto RBS_DNL）を、フェムトRBSの大まかな位置を判別するために用いる。さらに、フェムトRNCはフェムトRBSの位置を判別する際に、通知されたマクロセルについての設定された地理的情報を用いる。
  フェムトRBS及びマクロRBSが同一のRNCによって制御される場合、マクロセルについて報告されたPLMN-ID、RAC、LAC及びCIは、どのマクロRBSがマクロセルを制御しているのか、及びそのマクロRBSについてありうる設定された地理的位置を見出すために用いられる。
７．
フェムトRBSの位置は（RNC内又は外部の）データベースに保存／更新される。
　
　以上によれば、アクセスポイントはフェムトRBSであるから、アクセスポイントの位置はフェムトセルの位置に他ならず、引用文献１には、次の発明（以下、「引用発明１」という。）が記載されている。
　
　「無線通信ネットワーク内のフェムトRBSの位置を推定するための方法に関し、
　フェムトRBS起動シーケンスの一部として、どのWCDMAマクロセルが現在位置に存在しているかを調べ、
　フェムトRBSの位置は（RNC内又は外部の）データベースに保存／更新され、
　自動的にフェムトRBSの位置を推定し、正確な位置データを維持することを可能にし、
　位置情報は緊急通話の際に用いられる
　方法。」
　
２−２．引用文献２には、図面とともに、次の事項が記載されている（下線は当審が付与した。）。
　なお、当審訳は、引用文献２に対応する特表２００９−５０９４２３号公報(平成２１年３月５日国内公表)を参考にしている。
　
オ．「Field
[0002] 
The present disclosure relates generally to communication, and more specifically to techniques for supporting emergency calls.
 （当審訳：【０００２】参考
【０００２】
  ［分野］
  
本開示は、一般的に通信に関し、特に緊急呼をサポートする技術に関する。
　
カ．「2. Emergency circuit-mode call in 3GPP2 with SUPL location
[0059] 
FIG. 6 shows an embodiment of a message flow 600 for emergency circuit- mode call in 3GPP2 using SUPL. In step 1, UE 110 sends a request for an emergency services call to MSC 230b in 3GPP2 PLMN 130b. In step 2, MSC 230b may assume or determine that UE 110 supports SUPL positioning, e.g., based on UE subscription information or UE capability information received from the UE or PLMN 130b policy. MSC 230b then sends an ANSI-41 MAP Origination Request to MPC 232b, which is in a network that has an association with (e.g., contains or is connected to) E-SLP 234b. The Origination Request may contain the UE identity (e.g., the BVISI and/or MIN), the serving cell ID, and/or other information (e.g., measurements from the UE or network that may be used to compute a position estimate).
[0060] In step 3, MPC 232b creates a record for the call. MPC 232b may determine an interim position estimate for UE 110 based on the cell ID and any measurements received in step 2. MPC 232b may also initiate steps 8 to 13 in advance and obtain an interim position estimate for UE 110. MPC 232b may select a PSAP based on an interim position estimate (if obtained) or the serving cell ID received in step 2. If so, MPC 232b may assign an ESRD or ESRK to indicate the selected PSAP. In the following description, PSAP 180 is the selected PSAP. 
In step 4, MPC 232b returns to MSC 230b an ANSI-41 MAP Origination Request acknowledgement containing any ESRD or ESRK assigned in step 3.
[0061] 
In step 5, MSC 230b sends the emergency services call to PSAP 180. If an ESRK or ESRD was returned in step 4, then PSAP 180 is chosen by MPC 232b in step 3.
The call setup message sent by MSC 230b to PSAP 180 may include any ESRD or ESRK returned in step 4 or assigned in step 5 and a callback number for UE 110 (e.g., the MSISDN).
[0062] In step 6, the call is established between UE 110 and PSAP 180 via MSC 230b. 
In step 7, PSAP 180 sends an Emergency Services Position Request to MPC 232b to request an accurate initial position estimate for UE 110. 
In step 8, MPC 232b identifies the call record created in step 3 using the ESRK or callback number received in step 7. If MPC 232b obtained an accurate position estimate in step 3 (e.g., by performing steps 8 to 13 in advance), then MPC 232b may return it immediately to PSAP 180 in step 14 and skip steps 8 to 13. Otherwise, MPC 232b sends to E-SLP 234b an Emergency Services Position Request that may contain the UE identity (e.g., the MDSf and/or BVISI), the cell ID (if known), the required QoP, and/or other information.
[0063] 
In steps 9 through 12, E-SLP 234b and UE 110 engage in a SUPL location procedure, as described above for steps 9 through 12 in FIG. 4.
UE 110 may exchange one or more SUPL POS messages with E-SLP 234b (for proxy mode) or the SPC (for non-proxy mode) in step 11. Each SUPL POS message may contain a positioning message according to 3GPP2 C.S0022, TIA-801, 3GPP RRLP, RRC, or some other positioning protocols.
[0064] 
In step 13, E-SLP 234b returns the position estimate (which may have been forwarded from a selected V-SLP, not shown in FIG. 6) to MPC 232b. In step 14, MPC 232b returns the position estimate to PSAP 180 in an Emergency Services Position Request response message.
[0065] In step 16, at some later time, the call between UE 110 and PSAP 180 is released. In step 17, MSC 230b sends to MPC 232b an ANSI-41 MAP Call Termination Report message identifying UE 110 (e.g., via the IMSI or MSISDN) and indicating that the call was released. In step 18, MPC 232b may delete the call record created in step 3 and return an ANSI-41 MAP Call Termination Report acknowledgment to MSC 230b.」（段落［００５９］〜［００６５］）
 （当審訳：【００５１】〜【００５７】参考
【００５１】
　２．ＳＵＰＬロケーションを用いた３ＧＰＰ２での緊急回線モード呼
　
図６は、ＳＵＰＬを用いた３ＧＰＰ２での緊急回線モード呼のメッセージ・フロー６００の実施形態を示している。ステップ１において、ＵＥ１１０は、３ＧＰＰ２のＰＬＭＮ１３０ｂ内のＭＳＣ２３０ｂに緊急サービス呼の要求を送る。ステップ２において、ＭＳＣ２３０ｂは、例えばＵＥから受信されたＵＥ加入情報またはＵＥの性能情報、あるいはＰＬＭＮ１３０ｂのポリシーに基づいて、ＵＥ１１０がＳＵＰＬ測位をサポートしていると見なすか、または判断すればよい。次いで、ＭＳＣ２３０ｂは、Ｅ−ＳＬＰ２３４ｂと関連する（例えば、Ｅ−ＳＬＰ２３４ｂを含む、またはＥ−ＳＬＰ２３４ｂに接続されている）ネットワーク中にあるＭＰＣ２３２ｂに、ＡＮＳＩ−４１  ＭＡＰ開始要求（Origination Request）を送る。開始要求は、ＵＥの識別（例えば、ＩＭＳＩおよび／またはＭＩＮ）、サービング・セルＩＤ、および／または他の情報（例えば、位置推定の算出に使用されればよいＵＥまたはネットワークからの測定値）を含んでいればよい。
【００５２】
　ステップ３において、ＭＰＣ２３２ｂは、呼の記録を作成する。ＭＰＣ２３２ｂは、ステップ２において受信されたセルＩＤおよび任意の測定値に基づいて、ＵＥ１１０の仮の位置推定を決定すればよい。ＭＰＣ２３２ｂは、ステップ８からステップ１３を事前に開始して、ＵＥ１１０の仮の位置推定を取得してもよい。ＭＰＣ２３２ｂは、（取得された場合）仮の位置推定、またはステップ２において受信されたサービング・セルＩＤに基づいてＰＳＡＰを選択すればよい。その場合、ＭＰＣ２３２ｂは、ＥＳＲＤまたはＥＳＲＫを割り当てて、選択されたＰＳＡＰを示せばよい。以下の説明において、ＰＳＡＰ１８０が選択されたＰＳＡＰである。
ステップ４において、ＭＰＣ２３２ｂは、ステップ３で割り当てられた任意のＥＳＲＤまたはＥＳＲＫを含むＡＮＳＩ−４１  ＭＡＰ開始要求の肯定応答をＭＳＣ２３０ｂに返す。
【００５３】
　
ステップ５において、ＭＳＣ２３０ｂは、ＰＳＡＰ１８０に緊急サービス呼を送る。ステップ４でＥＳＲＫまたはＥＳＲＤが返されていた場合、ステップ３でＭＰＣ２３２ｂによってＰＳＡＰ１８０が選択される。
ＭＳＣ２３０ｂによってＰＳＡＰ１８０に送信される呼設定メッセージは、ステップ４で返されたかステップ５で割り当てられた任意のＥＳＲＤまたはＥＳＲＫ、およびＵＥ１１０用のコールバック番号（例えば、ＭＳＩＳＤＮ）を含んでいればよい。
【００５４】
　ステップ６において、ＭＳＣ２３０ｂを介してＵＥ１１０とＰＳＡＰ１８０との間に呼が確立される。
ステップ７において、ＰＳＡＰ１８０は、ＭＰＣ２３２ｂに緊急サービス位置要求を送り、ＵＥ１１０の正確な初期位置推定を要求する。
ステップ８において、ＭＰＣ２３２ｂは、ステップ７で受信されたＥＳＲＫまたはコールバック番号を使用して、ステップ３で作成された呼記録を識別する。ＭＰＣ２３２ｂが、（例えばステップ８からステップ１３を事前に実行することで）ステップ３において正確な位置推定を取得していた場合、ＭＰＣ２３２ｂは、ステップ１４においてＰＳＡＰ１８０に対してこの位置推定を直ちに返すことができ、ステップ８からステップ１３を省くことができる。それ以外の場合、ＭＰＣ２３２ｂは、ＵＥの識別（例えば、ＭＩＮおよび／またはＩＭＳＩ）、セルＩＤ（分かっている場合）、要求されたＱｏＰ、および／または他の情報を含めばよい緊急サービス位置要求をＥ−ＳＬＰ２３４ｂへ送る。
【００５５】
　
ステップ９からステップ１２において、Ｅ−ＳＬＰ２３４ｂおよびＵＥ１１０は、図４のステップ９からステップ１２について上記で説明したように、ＳＵＰＬロケーション手順を行う。
ステップ１１において、ＵＥ１１０は、（プロキシ・モードでは）Ｅ−ＳＬＰ２３４ｂと、または（非プロキシ・モードでは）ＳＰＣと、１つ以上のＳＵＰＬ  ＰＯＳメッセージを交換すればよい。各ＳＵＰＬ  ＰＯＳメッセージは、３ＧＰＰ２  Ｃ．Ｓ００２２、ＴＩＡ−８０１、３ＧＰＰ  ＲＲＬＰ、ＲＲＣ、または他の測位プロトコルに応じた測位メッセージを含んでいればよい。
【００５６】
　
ステップ１３において、Ｅ−ＳＬＰ２３４ｂは、（図６に示されていない選択されたＶ−ＳＬＰからから回送されたものでもよい）位置推定をＭＰＣ２３２ｂへ返す。ステップ１４において、ＭＰＣ２３２ｂは、緊急サービス位置要求応答メッセージの中で、ＰＳＡＰ１８０に位置推定を返す。
【００５７】
　ステップ１６において、しばらくして、ＵＥ１１０とＰＳＡＰ１８０との間の呼が切断される。ステップ１７において、ＭＳＣ２３０ｂは、ＵＥ１１０を識別し呼が切断されたことを示す、ＡＮＳＩ−４１  ＭＡＰ呼終了レポート（Call Termination Report）メッセージを（例えばＩＭＳＩまたはＭＳＩＳＤＮを介して）ＭＰＣ２３２ｂへ送る。ステップ１８において、ＭＰＣ２３２ｂは、ステップ３で作成された呼記録を削除し、ＡＮＳＩ−４１  ＭＡＰ呼終了レポートの肯定応答をＭＳＣ２３０ｂに返せばよい。）
　
　以上によれば、引用文献２には、次の発明（以下、「引用発明２」という。）が記載されている。
　「一般的に通信に関し、特に緊急呼をサポートする技術に関し、
　ＵＥ１１０は、３ＧＰＰ２のＰＬＭＮ１３０ｂ内のＭＳＣ２３０ｂに緊急サービス呼の要求を送り、
　ＭＳＣ２３０ｂは、Ｅ−ＳＬＰ２３４ｂと関連するネットワーク中にあるＭＰＣ２３２ｂに、ＵＥの識別、サービング・セルＩＤ、および／または他の情報（例えば、位置推定の算出に使用されればよいＵＥまたはネットワークからの測定値）を含む、ＡＮＳＩ−４１  ＭＡＰ開始要求（Origination Request）を送り、
　ＭＰＣ２３２ｂは、割り当てられた任意のＥＳＲＤまたはＥＳＲＫを含むＡＮＳＩ−４１  ＭＡＰ開始要求の肯定応答をＭＳＣ２３０ｂに返し、
　ＭＳＣ２３０ｂは、ＥＳＲＫまたはＥＳＲＤが返されていた場合、ＭＰＣ２３２ｂによって選択されたＰＳＡＰ１８０に緊急サービス呼を送り、
　ＰＳＡＰ１８０は、ＭＰＣ２３２ｂに緊急サービス位置要求を送り、ＵＥ１１０の正確な初期位置推定を要求し、
　ＭＰＣ２３２ｂは、ＵＥの識別（例えば、ＭＩＮおよび／またはＩＭＳＩ）、セルＩＤ（分かっている場合）、要求されたＱｏＰ、および／または他の情報を含めばよい緊急サービス位置要求をＥ−ＳＬＰ２３４ｂへ送り、
　Ｅ−ＳＬＰ２３４ｂおよびＵＥ１１０は、ＳＵＰＬロケーション手順を行い、３ＧＰＰ２  Ｃ．Ｓ００２２、ＴＩＡ−８０１、３ＧＰＰ  ＲＲＬＰ、ＲＲＣ、または他の測位プロトコルに応じた測位メッセージを含む、１つ以上のＳＵＰＬ  ＰＯＳメッセージを交換し、
　Ｅ−ＳＬＰ２３４ｂは、位置推定をＭＰＣ２３２ｂへ返し、
　ＭＰＣ２３２ｂは、緊急サービス位置要求応答メッセージの中で、ＰＳＡＰ１８０に位置推定を返す、
　ＳＵＰＬを用いた３ＧＰＰ２での緊急回線モード呼のメッセージ・フロー。」
　
３．対比
　本願補正後発明と引用発明１とを以下で対比する。
　
　引用発明１は、「無線通信ネットワーク内のフェムトRBSの位置を推定するための方法に関し」たものであって、「自動的にフェムトRBSの位置を推定し、正確な位置データを維持することを可能にし、位置情報は緊急通話の際に用いられる方法」であるから、「無線通信ネットワークにおける緊急呼出しをサポートする方法」であるといえる。
　
　本願補正後発明の「移動局によるＦＡＰ（フェムトアクセスポイント）への緊急呼び出しの発信時に、前記緊急呼出しを発信するように前記移動局によって前記ＦＡＰに送信された第１のメッセージを受信すること」や「前記緊急呼出しに関する緊急センタを選択するのに使用されるように前記ＦＡＰに関する位置情報をネットワークエンティティに送信し、前記ネットワークエンティティから、前記緊急センタまたはＰＳＡＰ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送することであって、前記移動局に関する位置推定を示す情報はネットワークエンティティから緊急センタまたはＰＳＡＰ（公共安全応答ポイント）に送信される、転送すること」は、ＦＡＰに関する位置情報を用いているといえる。
　そして、引用発明１では、「位置情報は緊急通話の際に用いられ」ており、引用発明１のフェムトRBSはＦＡＰに相当するから、引用発明１は、本願補正後発明と同様に、ＦＡＰに関する位置情報が用いられているといえる。
　
　してみると、以下の点で一致し、また、相違する。
　
＜一致点＞
　「無線通信ネットワークにおける緊急呼出しをサポートする方法であって、
　ＦＡＰに関する位置情報が用いられる方法。」
　
＜相違点＞
　本願補正後発明は、ＦＡＰに関する位置情報が用いられる具体的な方法が、「移動局によるＦＡＰ（フェムトアクセスポイント）への緊急呼び出しの発信時に、前記緊急呼出しを発信するように前記移動局によって前記ＦＡＰに送信された第１のメッセージを受信すること」、「前記緊急呼出しに関する緊急センタを選択するのに使用されるように前記ＦＡＰに関する位置情報をネットワークエンティティに送信し、前記ネットワークエンティティから、前記緊急センタまたはＰＳＡＰ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送すること」および「前記移動局に関する位置推定を示す情報はネットワークエンティティから緊急センタまたはＰＳＡＰ（公共安全応答ポイント）に送信される」ことであるのに対して、引用発明１では、ＦＡＰに関する位置情報がどのように用いられるのか具体的な方法が特定されていない点。
　
４．判断
　引用文献２には、「２．引用発明」の「２−２．」で記載したように、
　「ＵＥ１１０は、３ＧＰＰ２のＰＬＭＮ１３０ｂ内のＭＳＣ２３０ｂに緊急サービス呼の要求を送り、
　ＭＳＣ２３０ｂは、Ｅ−ＳＬＰ２３４ｂと関連するネットワーク中にあるＭＰＣ２３２ｂに、ＵＥの識別、サービング・セルＩＤ、および／または他の情報（例えば、位置推定の算出に使用されればよいＵＥまたはネットワークからの測定値）を含む、ＡＮＳＩ−４１  ＭＡＰ開始要求（Origination Request）を送り、
　ＭＰＣ２３２ｂは、割り当てられた任意のＥＳＲＤまたはＥＳＲＫを含むＡＮＳＩ−４１  ＭＡＰ開始要求の肯定応答をＭＳＣ２３０ｂに返し、
　ＭＳＣ２３０ｂは、ＥＳＲＫまたはＥＳＲＤが返されていた場合、ＭＰＣ２３２ｂによって選択されたＰＳＡＰ１８０に緊急サービス呼を送り、
　ＰＳＡＰ１８０は、ＭＰＣ２３２ｂに緊急サービス位置要求を送り、ＵＥ１１０の正確な初期位置推定を要求し、
　ＭＰＣ２３２ｂは、ＵＥの識別（例えば、ＭＩＮおよび／またはＩＭＳＩ）、セルＩＤ（分かっている場合）、要求されたＱｏＰ、および／または他の情報を含めばよい緊急サービス位置要求をＥ−ＳＬＰ２３４ｂへ送り、
　Ｅ−ＳＬＰ２３４ｂおよびＵＥ１１０は、ＳＵＰＬロケーション手順を行い、３ＧＰＰ２  Ｃ．Ｓ００２２、ＴＩＡ−８０１、３ＧＰＰ  ＲＲＬＰ、ＲＲＣ、または他の測位プロトコルに応じた測位メッセージを含む、１つ以上のＳＵＰＬ  ＰＯＳメッセージを交換し、
　Ｅ−ＳＬＰ２３４ｂは、位置推定をＭＰＣ２３２ｂへ返し、
　ＭＰＣ２３２ｂは、緊急サービス位置要求応答メッセージの中で、ＰＳＡＰ１８０に位置推定を返す、
　ＳＵＰＬを用いた３ＧＰＰ２での緊急回線モード呼のメッセージ・フロー。」
の引用発明２が記載されている。
　
　引用発明２は、「ＳＵＰＬを用いた３ＧＰＰ２での緊急回線モード呼のメッセージ・フロー」であるから、「無線通信ネットワークにおける緊急呼出しをサポートする方法」であるといい得ると共に、「ＭＳＣ２３０ｂは、Ｅ−ＳＬＰ２３４ｂと関連するネットワーク中にあるＭＰＣ２３２ｂに、ＵＥの識別、サービング・セルＩＤ、および／または他の情報（例えば、位置推定の算出に使用されればよいＵＥまたはネットワークからの測定値）を含む、ＡＮＳＩ−４１  ＭＡＰ開始要求（Origination Request）を送」っているから、ＡＰに関する位置情報が用いられているといい得る。
　
　さらに、引用発明２の「ＵＥ１１０は、３ＧＰＰ２のＰＬＭＮ１３０ｂ内のＭＳＣ２３０ｂに緊急サービス呼の要求を送」ることは、ＭＳＣ２３０ｂを有するＰＬＭＮ１３０ｂが、「移動局によるＡＰへの緊急呼び出しの発信時に、前記緊急呼出しを発信するように前記移動局によって前記ＡＰに送信された第１のメッセージを受信すること」に相当する。
　
　引用発明２の「ＭＳＣ２３０ｂは、Ｅ−ＳＬＰ２３４ｂと関連するネットワーク中にあるＭＰＣ２３２ｂに、ＵＥの識別、サービング・セルＩＤ、および／または他の情報（例えば、位置推定の算出に使用されればよいＵＥまたはネットワークからの測定値）を含む、ＡＮＳＩ−４１  ＭＡＰ開始要求（Origination Request）を送」ることは、ＭＳＣ２３０ｂを有するＰＬＭＮ１３０ｂが、「前記緊急呼出しに関する緊急センタを選択するのに使用されるように前記ＡＰに関する位置情報をネットワークエンティティに送信」することに相当する。
　
　引用発明２の「ＭＰＣ２３２ｂは、割り当てられた任意のＥＳＲＤまたはＥＳＲＫを含むＡＮＳＩ−４１  ＭＡＰ開始要求の肯定応答をＭＳＣ２３０ｂに返」することは、ＭＳＣ２３０ｂを有するＰＬＭＮ１３０ｂが、「前記ネットワークエンティティから、前記緊急センタまたはＰＳＰＡ（公共安全応答ポイント）を識別するＥＳＲＤ（緊急サービスルーティング番号）またはＥＳＲＫ（緊急サービスルーティングキー）を含む応答メッセージを受信」することに相当する。
　
　引用発明２の「ＭＳＣ２３０ｂは、ＥＳＲＫまたはＥＳＲＤが返されていた場合、ＭＰＣ２３２ｂによって選択されたＰＳＡＰ１８０に緊急サービス呼を送」ることは、ＭＳＣ２３０ｂを有するＰＬＭＮ１３０ｂが、「前記ＥＳＲＤまたは前記ＥＳＲＫに基づいて選択された緊急センタまたはＰＳＡＰ（公共安全応答ポイント）に前記緊急呼出しを転送すること」に相当する。
　
　本願補正後発明の「前記移動局に関する位置推定を示す情報」なる発明特定事項に関して、該発明特定事項より前に、「移動局に関する位置推定を示す情報」或いは「移動局に関する位置推定」なる事項は記載されていないことから、該発明特定事項の「前記」は「移動局」を修飾しているといえる。
　してみると、引用発明２の「ＭＰＣ２３２ｂは、緊急サービス位置要求応答メッセージの中で、ＰＳＡＰ１８０に位置推定を返す」は、「前記移動局に関する位置推定を示す情報はネットワークエンティティから緊急センタまたはＰＳＡＰ（公共安全応答ポイント）に送信される」ことに相当する。
　
　また、引用発明２における「ＭＰＣ２３２ｂは、割り当てられた任意のＥＳＲＤまたはＥＳＲＫを含むＡＮＳＩ−４１  ＭＡＰ開始要求の肯定応答をＭＳＣ２３０ｂに返し」なる事項等の作用は、「ＭＳＣ２３０ｂは、Ｅ−ＳＬＰ２３４ｂと関連するネットワーク中にあるＭＰＣ２３２ｂに、ＵＥの識別、サービング・セルＩＤ、および／または他の情報（例えば、位置推定の算出に使用されればよいＵＥまたはネットワークからの測定値）を含む、ＡＮＳＩ−４１  ＭＡＰ開始要求（Origination Request）を送」ることで奏する作用であるといえるから、引用発明２は、ＡＰに関する位置情報がどのように用いられるかの具体的方法であるといえる。
　
　そして、引用発明１のＦＡＰ及び引用発明２のＡＰは、移動局から発信される緊急呼び出しやメッセージを受信するアクセスポイントである共に、引用発明１及び引用発明２は、ＡＰに関する位置情報が用いられる方法である。
　
　このため、引用発明１のＦＡＰに関する位置情報がどのように用いられるかの具体的な方法として、引用発明２のごとき方法、すなわち、「移動局によるＦＡＰ（フェムトアクセスポイント）への緊急呼び出しの発信時に、前記緊急呼出しを発信するように前記移動局によって前記ＦＡＰに送信された第１のメッセージを受信すること」、「前記緊急呼出しに関する緊急センタを選択するのに使用されるように前記ＦＡＰに関する位置情報をネットワークエンティティに送信し、前記ネットワークエンティティから、前記緊急センタまたはＰＳＡＰ（公共安全応答ポイント）を識別するＥＳＲＤ（緊急サービスルーティング番号）またはＥＳＲＫ（緊急サービスルーティングキー）を含む応答メッセージを受信し、前記ＥＳＲＤまたは前記ＥＳＲＫに基づいて選択された緊急センタまたはＰＳＡＰ（公共安全応答ポイント）に前記緊急呼出しを転送すること」、および、「前記移動局に関する位置推定を示す情報はネットワークエンティティから緊急センタまたはＰＳＡＰ（公共安全応答ポイント）に送信される」こと、を備える方法を用いることは、当業者であれば容易になし得る事項である。
　
　そして、本願補正後発明により得られる効果は、引用発明１及び引用発明２に基いて、当業者ならば容易に予測することができる程度のものであって、格別のものとはいえない。
　
５．むすび
　以上のとおり、本願補正後発明は、引用発明１及び引用発明２に基づいて、当業者が容易に発明をすることができたものであるので、特許法第２９条第２項の規定により特許を受けることができない。
　
　
第５　むすび 
　以上のとおりであるから、本願は、他の請求項に係る発明について検討するまでもなく、拒絶すべきものである。
　
　よって、結論のとおり審決する。